(57)【特許請求の範囲】
【請求項１】
略円盤状のパネル部と、該パネル部の外周に形成された外周溝と、該外周溝から延出し缶胴の開口縁部を巻き締め固着させるためのフランジ部と、前記パネル部の略中央部につなぎ部が残るように、前記パネル部の略中央部からその外周近傍に至るとともに再度その略中央部に至るような線状に刻まれているスコア線によって区画された開口片と、該開口片の外側であって、前記つなぎ部の近傍に固着されるとともに押し下げ端を固着部近傍の前記開口片上に位置させかつ持上げ端を固着部を挟んで前記押し下げ端の反対側に位置させたつまみ片とが設けられている缶蓋を有するイージーオープン缶において、
前記外周溝を構成する前記パネル部の外周部分の少なくとも一部がテーパ状からなる傾斜部に形成されているとともに、前記パネル部の径方向におけるその傾斜部と前記パネル部とのなす角が一定で、かつ、１５°以上４５°以下に形成されており、前記傾斜部が形成されている前記パネル部の外周部分の近傍に前記スコア線が刻設されており、そのスコア線によって区画される前記開口片が前記パネル部と略同一平面上に存在することを特徴とするイージーオープン缶。
【請求項２】
前記外周溝の底部と前記パネル部との該パネル部の厚さ方向における距離が０．８５ｍｍ以上１．４５ｍｍ以下であることを特徴とする請求項１に記載のイージーオープン缶。
【請求項３】
前記傾斜部と前記パネル部との間が円弧状に形成されており、その円弧の曲率半径が０．５ｍｍ以上１．０ｍｍ以下であり、さらに、前記缶胴に巻き締めた後の前記フランジ部の頂部と前記外周溝の底部との前記パネル部の厚さ方向における距離が５．１０ｍｍ以上６．０５ｍｍ以下であることを特徴とする請求項１または請求項２に記載のイージーオープン缶。
【発明の詳細な説明】
【０００１】
【発明の属する技術分野】
この発明は、閉じられていないスコア線によって区画された缶蓋の開口片（開口予定部）を、つまみ片を引き起すことによりスコア線において破断して缶体の内部に吊り下げて開缶（開蓋）する、イージーオープン缶に関するものである。
【０００２】
【従来の技術】
コーンの粒入りコーンポタージュや小豆の粒入りおしるこ、果肉の粒入り果汁飲料等に代表される粒状の固形物入り缶飲料が市場において人気を博している。この種の缶飲料は、固形物を飲料と共に飲むことができ、かつ手軽に食感を楽しむことができる。
【０００３】
しかし、この種の缶飲料は、缶体の内部に粒状の固形物が封入されているために、液体のみが封入された缶飲料に使用される缶体のように缶蓋に形成される開口部が比較的小さい缶では、缶飲料を飲むために缶蓋の開口部が下側になるように缶体を傾けた際に、粒状の固形物が缶蓋の開口部で詰まってしまい、飲料の流路を塞いでしまうことがある。そのため、飲料が缶蓋の開口部から缶体の外部に流出することができず、飲料を飲むことができない。継続して飲料を飲むには、缶蓋が上方になるように缶体を一旦傾け、粒状固形物を飲料内に落下させてから再度缶蓋が下方になるように缶体を傾け、飲料を飲む必要がある。
【０００４】
このように、粒状固形物入り飲料を継続して飲むために缶体を上下させることがないように、缶蓋に形成される開口部の面積を大きくした缶体が従来知られている。その缶体の缶蓋を図４および図５に示す。ここに示す缶蓋３１は、金属製の平板材から形成されており、そのパネル部３２が円盤状に形成されている。そして、そのパネル部３２の外周には、図５における下方向に窪む環状の外周溝３３が形成されている。さらに、その外周溝３３から図５における上方向にフランジ部３４が延出している。なお、このフランジ部３４が缶胴３５の開口縁部に巻き締められることによって、缶蓋３１が缶胴３５に固着され、缶体が形成されている。
【０００５】
また、外周溝３３よりもパネル部３２の中心側には、図５における下方向に窪む窪み部３６が形成されている。そして、この窪み部３６には、その窪み部３６の周囲に沿って破断用の主スコア線３７ａと非破断用の補助スコア線３７ｂとから成るスコア線３７が刻設されている。そして、このスコア線３７によって囲まれる部分が開口片３８を構成している。さらに、その開口片３８には、図５における下方向に窪む補強凹ブリスター３９が形成されている。そして、その補強凹ブリスター３９よりもパネル部３２の中央側には、補強凹ブリスター３９に隣接して、図５における上方向に突出する補強凸ビード４０が形成されている。
【０００６】
さらに、パネル部３２の中心部には、つまみ片４１から延出する舌片部４２がリベット４３によってパネル部３２に固定されている。また、図４において紙面よりも開口片３８の手前側（上側）に位置するつまみ片４１の一端部が押し下げ端４４を構成しているとともに、リベット４３を挟んで押し下げ端４４とは反対側のつまみ片４１の端部が持上げ端４５を構成している。
【０００７】
缶体を開けるには、つまみ片４１の持上げ端４５を図４において紙面より手前方向に持上げる。すると、押し下げ端４４を支点とし、リベット４３の部分を作用点とするてこ作用が生じ、両者の間にあり、リベット４３の近傍に位置するスコア線３７から破断し始める。さらに、その後リベット４３を支点とし、押し下げ端４４を作用点とするてこ作用が生じ、スコア線３７の破断が進行し、開口片３８が缶体内部側（図４において紙面より奥方向）に押し下げられ吊り下げられる。その結果、缶体が開けられる。
【０００８】
【発明が解決しようとする課題】
しかし、図４と図５とに示される従来の缶蓋３１では、外周溝３３からパネル部３２に亘る壁面とパネル部３２とのなす角が大きく（４５°を超えている）、かつ、外周溝３３と窪み部３６とに挟まれた部分において、缶胴３５側（図５における下側）に窪み４６が形成されている。また、缶蓋３１と缶胴３５との間に隙間４７が形成され、その間隔が比較的大きい。そのため、缶体を開け、缶蓋が下方になるように缶体を傾けて、缶体に封入されている粒状固形物５１入りの飲料５２を飲む場合、図６に示すように、窪み４６と隙間４７とに粒状固形物５１が入り込み、飲料５２の流動によって粒状固形物５１が缶体の外部に流出することができなくなる。そのため、缶体内の飲料５２が全て流出した後もこの窪み４６や隙間４７に入り込んだ粒状固形物５１が残留してしまう。その結果、粒状固形物５１を全て流出させ飲むことができない可能性があった。
【０００９】
また、缶体内の飲料５２が残存しているうちに、一旦缶体を缶蓋３１が上側になるように傾け、窪み４６や隙間４７に嵌入した粒状固形物５１を飲料中に落下させてから、再度缶蓋３１が下側になるように缶体を傾け、飲料５２を流出させて飲むとしても、落下しない粒状固形物５１があるばかりか、飲料５２中に落下した粒状固形物５１が再度窪み４６や隙間４７に入り込む可能性があった。その結果、缶体を繰り返し上下させたとしても、粒状固形物５１が窪み４６や隙間４７に入り込んでしまい、飲料５２が全て缶体の外部に流出してしまうと、窪み４６や隙間４７に入り込んだ粒状固形物５１が缶体の外部に流出せず、缶体の内部に残留する可能性があった。
【００１０】
さらに、窪み４６に粒状固形物５１が入り込まないように、外周溝３３とパネル部３２と窪み部３６とを同一平面上に配置させることにより、窪み４６を廃することが考えられる。しかしこの場合では、缶蓋に必要な耐圧強度を維持することができなくなる可能性があった。しかも、缶蓋を保管や搬送するために缶蓋が同じ方向を向けて積層されるので、上記のように外周溝３３とパネル部３２と窪み部３６とを同一平面上に配置すると、缶蓋のつまみ片がそれと隣接して積層されている缶蓋の、つまみ片が固着された面とは反対側の面（缶体の内部側となる面）と接触する。なお、一般的には、そのつまみ片と接触する缶蓋の面には、缶体に封入される飲料と缶蓋とが接触しないように、その缶蓋の面に内面塗膜が施されている。その場合、つまみ片が接触し、缶蓋の内面塗膜に微小な傷がつくと、缶体に飲料が充填された後に、飲料と缶蓋が直接に接触し、缶蓋から飲料中に金属成分が溶出したり、飲料によって缶蓋が腐食される可能性があった。
【００１１】
この発明は上記の事情を背景としてなされたものであり、粒状の固形物が混入された飲料が封入されたイージーオープン缶において、飲料の流動によって容易に粒状固形物を缶体外に流出させることができるイージーオープン缶を提供することを目的とするものである。
【００１２】
【課題を解決するための手段およびその作用】
上記の目的を達成するために、請求項１の発明は、略円盤状のパネル部と、該パネル部の外周に形成された外周溝と、該外周溝から延出し缶胴の開口縁部を巻き締め固着させるためのフランジ部と、前記パネル部の略中央部につなぎ部が残るように、前記パネル部の略中央部からその外周近傍に至るとともに再度その略中央部に至るような線状に刻まれているスコア線によって区画された開口片と、該開口片の外側であって、前記つなぎ部の近傍に固着されるとともに押し下げ端を固着部近傍の前記開口片上に位置させかつ持上げ端を固着部を挟んで前記押し下げ端の反対側に位置させたつまみ片とが設けられている缶蓋を有するイージーオープン缶において、前記外周溝を構成する前記パネル部の外周部分の少なくとも一部がテーパ状からなる傾斜部に形成されているとともに、前記パネル部の径方向におけるその傾斜部と前記パネル部とのなす角が一定で、かつ、１５°以上４５°以下に形成されており、前記傾斜部が形成されている前記パネル部の外周部分の近傍に前記スコア線が刻設されており、そのスコア線によって区画される前記開口片が前記パネル部と略同一平面上に存在することを特徴とするものである。
【００１３】
したがって請求項１の発明によれば、パネル部の外周部分の少なくとも一部がテーパ状からなる傾斜部に形成されているとともに、パネル部の径方向における傾斜部とパネル部とのなす角がパネル部の径方向において一定で、かつ、１５°以上４５°以下に形成されており、その傾斜部が形成されているパネル部の近傍で、そのパネル部と略同一平面上に開口片が存在することによって、外周溝と開口片との間に窪みが形成されることがない。その結果、スコア線が破断され、開口片が缶内に吊り下げられて形成された開口部から、飲料中の粒状固形物を飲料とともに缶体外に容易に流出させることができるとともに、粒状固形物が外周溝とスコア線との間に残留することを防ぐことができる。
特に、パネル部の径方向における傾斜部とパネル部とのなす角が１５°以上４５°以下であることによって、傾斜部の傾斜面がなだらかとなるので、缶体の性能を損なわずに、形成された開口部から粒状固形物を飲料とともに傾斜部に沿って容易に缶体外に流出させることができる。
【００１４】
また、請求項２の発明は、請求項１の発明に加えて、前記外周溝の底部と前記パネル部との該パネル部の厚さ方向における距離が０．８５ｍｍ以上１．４５ｍｍ以下であることを特徴とするものである。
【００１６】
したがって請求項２に記載した発明によれば、外周溝とパネル部とのパネル部の厚さ方向における距離が０．８５ｍｍ以上１．４５ｍｍ以下であることによって、缶蓋の開口片と飲料の液面との距離が短くなる。その結果、缶体が開缶される際に、缶蓋の開口片が飲料の液面を叩くことによって飲料が缶体外に飛び散ることを防ぐことができる。なお、上記距離が０．８５ｍｍ未満であると缶蓋の耐圧力が低下し、また１．４５ｍｍを超えると缶蓋製造に余分な材料が必要になる。
【００１７】
さらに、請求項３の発明は、請求項１または請求項２の発明に加えて、前記傾斜部と前記パネル部との間が円弧状に形成されており、その円弧の曲率半径が０．５ｍｍ以上１．０ｍｍ以下であり、さらに、前記缶胴に巻き締めた後の前記フランジ部の頂部と前記外周溝の底部との前記パネル部の厚さ方向における距離が５．１０ｍｍ以上６．０５ｍｍ以下であることを特徴とするものである。
【００１８】
したがって、請求項３に記載した発明によれば、傾斜部とパネル部との間が円弧状に形成されており、その曲率半径が０．５ｍｍ以上１．０ｍｍ以下であることによって、缶蓋の成形の際に円弧状部分の板厚が薄くなることを防ぐことができるとともに、缶蓋の耐圧力を維持することができる。
【００１９】
また、缶蓋を缶胴に巻き締めた後における缶蓋のフランジ部と外周溝とのパネル部の厚さ方向における距離が５．１０ｍｍ以上６．０５ｍｍ以下であることによって、巻き締められたフランジ部の位置を外周溝側により近づけることができる。その結果、缶胴と缶蓋との間に形成される隙間をより狭くさせることができ、そこに粒状固形物が入り込むことを防ぐことができる。
【００２０】
【発明の実施の形態】
つぎにこの発明の実施例を図面を参照して説明する。まず図１と図２は、この発明のイージーオープン缶の一例を示している。ここに示す缶蓋１は、アルミニウム合金の平板材から形成されており、そのパネル部２が円盤状に形成されている。そして、このパネル部２の外周には、傾斜部３が延出している。この傾斜部３は、パネル部２の径方向におけるその傾斜部３とパネル部２とのなす角θが傾斜部３の途中で変化しないテーパ状に形成されている。また、この角θが１５°以上４５°以下になっている。さらに、パネル部２と傾斜部３との間が、曲率半径Ｃが０．５ｍｍ以上１．０ｍｍ以下である円弧となるように形成されている。
【００２１】
また、傾斜部３の外周には、環状の外周溝４が形成されている。この外周溝４は、図２における下方向に窪んでいる。なお、パネル部２から外周溝４の底部までの距離Ｐが０．８５ｍｍ以上１．４５ｍｍ以下となるように外周溝４が形成されている。さらに、外周溝４の外周にはフランジ部５が形成されている。このフランジ部５は、図２に示すように、缶胴６の開口縁部に巻き締められることによって、缶蓋１が缶胴６に固着され、缶体が形成されている。なお、フランジ部５の頂部と外周溝４の底部との距離Ｇが５．１０ｍｍ以上６．０５ｍｍ以下になっている。
【００２２】
他方、傾斜部３近傍に位置するパネル部２の一部には、外側の主スコア線７ａと内側の補助スコア線７ｂとから成る二本の略楕円形のスコア線７が刻設されている。このスコア線７はパネル部２の中心部から傾斜部３の近傍を通って、再度パネル部２の中心部に至り、始点と終点とが狭い間隔で隔置されるように刻まれており、主スコア線７ａと補助スコア線７ｂとは、その始点と終点とで互いに連結している。なお、この主スコア線７ａと補助スコア線７ｂとは、外周溝４に近い外側の主スコア線７ａが内側の補助スコア線７ｂよりも深さが深くなるように刻まれており、開缶の際には主スコア線７ａのみ破断する。
【００２３】
これらの略楕円形の主スコア線７ａと補助スコア線７ｂとによってつなぎ部となる部分を残して囲まれた部分が開口片８を構成している。なお、この開口片８はパネル部２と同一平面上に存在している。また、この開口片８には補強凹ビード９がスコア線７に沿って形成されている。この補強凹ビード９は、図２における下方向に窪んでいるものである。さらに、この補強凹ビード９に囲まれた部分には、補強凸ビード１０が形成されている。この補強凸ビード１０は、図２における上方向に突出しているものである。なお、これらの補強凹ビード９と補強凸ビード１０とは、開口片８の補強を目的として設けられているものである。
【００２４】
また、パネル部２の中心部には、つまみ片１１がリベット１２によって固定されている。つまり、このつまみ片１１の先端内側に片持ち状に形成された平板状の舌片部１３がリベット１２によってパネル部２に固定されている。この舌片部１３よりも図１における左側に位置するつまみ片１１の端部が押し下げ端１４を構成しており、リベット１２を挟んで押し下げ端１４とは反対側のつまみ片１１の端部が持上げ端１５を構成している。そしてこの持上げ端１５の図１において紙面より奥側（下側）には、外周溝４に連結する凹部１６が形成されている。この凹部１６は持上げ端１５に指を掛け易くするためである。
【００２５】
また、凹部１６よりもパネル部２の中心側であり、かつつまみ片１１の図１において紙面より奥側（下側）には、図１において紙面より手前（上）方向に突出する突起１７が二つ設けられている。これらの突起１７は、つまみ片１１を持上げやすくするために、つまみ片１１をパネル部２から浮かせるためのものである。さらに、つまみ片１１の舌片部１３近傍において、開口片８が存在しない部分には、舌片部１３に沿って曲線状の補強ビード１８が設けられている。この補強ビード１８は、図１において紙面より奥（下）方向に窪んでいるものである。なお、この補強ビード１８は、缶蓋１を開口するためにつまみ片１１が持上げられる際に、そのつまみ片１１がリベット１２によって固着しているパネル部２の部分が変形し、スコア線７（主スコア線７ａ）が破断しないことがないよう、その部分を補強するために設けられている。そして、スコア線７とつまみ片１１との外側のパネル部２には、それらに沿って曲線状の保護ビード１９が設けられている。この保護ビード１９は、開けられた缶体から飲料を飲む際に、開口した主スコア線７ａの破断端に唇が触れることを回避するためのものであり、かつ缶蓋１を成形する際に生じるルーズメタルを除去させる役目を果たしている。
【００２６】
つぎに、この発明のイージーオープン缶の一例の作用について説明する。上述した缶蓋１が用いられた缶体を開けるには、まず、つまみ片１１の持上げ端１５を図１において紙面より手前（上）方向に引き起こす。持上げ端１５を引き起こすことによって、押し下げ端１４を支点としかつリベット１２の部分を作用点とするてこ作用が生じる。その結果、両者の間の主スコア線７ａの部分で破断が生じる。その後、リベット１２の部分を支点としかつ押し下げ端１４を作用点とするてこ作用が生じ、開口片８を図２における下方向に押し下げることにより主スコア線７ａに沿った破断が拡大するとともに、開口片８が缶の内側に折り曲げられ、つなぎ部で吊り下げられ、缶体が開けられる。
【００２７】
なお、パネル部２の厚さ方向における外周溝４とパネル部２との距離Ｐが０．８５ｍｍ以上１．４５ｍｍ以下であることによって、開缶の際に開口片８が缶体の内部に封入された飲料の液面を叩くことによって、飲料が缶体の外部に飛び散ることを防ぐことができる。
【００２８】
また、パネル部２と傾斜部３との間が、曲率半径Ｃが０．５ｍｍ以上１．０ｍｍ以下である円弧となるように形成されていることによって、缶蓋成形加工時の局部的な板厚減少を防止するとともに、缶蓋１の耐圧力が良好に維持されている。
【００２９】
図３は、開けられた缶体を缶蓋１が下側になるように傾けた状態を示す図である。なお、缶体には粒状固形物入り飲料が封入されており、ここに示す状態はその粒状固形物入り飲料を消費者が飲む状態を示している。ここに示すように、飲料２０中に混入された粒状固形物２１が、缶胴６を傾けることによって飲料２０とともに缶体から流出する。その際に、缶蓋１の開口部とパネル部２とが同一平面上に存在しているとともに、パネル部２の径方向における傾斜部３とパネル部２とのなす角θが１５°以上４５°以下になるように傾斜部３が形成されているので、傾斜部３に接触した粒状固形物２１が飲料２０の流動によって傾斜部３に沿って転動し、容易に缶体外に流出する。したがって、粒状固形物２１が外周溝４とスコア線７ａの破断端との間に残留することがない。また、フランジ部５の頂部と外周溝４の底部とのパネル部２の厚さ方向における距離Ｇが５．１０ｍｍ以上６．０５ｍｍ以下となるように缶蓋１が形成されているので、缶蓋１と缶胴６との間に形成される隙間２２の間隔が比較的小さい。そのため、粒状固形物２１が隙間２２に入り込むことを防ぐことができるので、粒状固形物２１が隙間２２に殆ど残留することがない。その結果、ほぼ全ての粒状固形物２１を容易に缶体外に流出させ、それを飲むことができる。
【００３０】
ここで、この発明のイージーオープン缶の一例が用いられた缶体に粒状固形物入り飲料が封入されている場合における、この缶蓋の効果を実証する実験について説明する。なお、使用した缶蓋１は、従来例の缶蓋とテスト１用、テスト２用、テスト３用の４種類であり、缶蓋１の各部の形状、寸法は表１に示す通りである。なお、使用した材料は、いずれもアルミニウム合金（Ａ５０５２Ｈ１８）製の板材であり、その板厚は０．２５０ｍｍである。また、缶胴６に巻き締める前の缶蓋１の外径は、いずれも５７．６ｍｍである。
【００３１】
【表１】
0003764279.tif 000002
なお、表１において、距離αは、つまみ片１１の中心とつまみ片１１を缶蓋１に固着させるリベット１２とを結ぶ直線が、主スコア線７ａを横切っている部分のうち、パネル部２の周辺部分とリベット１２との距離を表している。
【００３２】
まず、テスト１用の缶蓋１が固着された缶胴６を１０本用意し、これら缶蓋１が真下になるように静置する。なお、缶胴６には底蓋が取り付けられていない。そして、それらの缶胴６の内部にそれぞれ、上方から粒状固形物２１であるコーン粒が混入された飲料２０であるコーンポタージュを１９０ｇ注入する。なお、このコーンポタージュには市販の「つぶたっぷりコーンポタージュ」（株式会社ポッカコーポレーションの商品名）が用いられている。そして、このコーンポタージュにはコーン粒が１９０ｇ当たり約６５個混入している。また、コーンポタージュはその温度が常温（２５℃）に保たれている。
【００３３】
つぎに、コーンポタージュが注入された缶胴６の上方の開口部をシール等によって塞いで缶体を形成するとともに、コーンポタージュを密封する。そして、缶胴６を缶蓋１が真上になるように上下を反転させ、その後、缶胴６を５回上下動させる。これは、コーンポタージュをよく攪拌するとともに、コーン粒が缶底に沈降せずにコーンポタージュ内に充分分散させるために行う。
【００３４】
つぎに、コーンポタージュが封入された缶体の缶蓋１を開ける。まず、つまみ片１１の持上げ端１５を引き起こし、スコア線７（主スコア線７ａ）を破断させることによって開口片８を缶体内部に押し下げ、つなぎ部をヒンジ部として吊り下げ状態とする。その際、５本の缶体はつまみ片１１とパネル部２とのなす角が９０°になるまでつまみ片１１を引き起し、残りの５本の缶体はつまみ片１１とパネル部２とのなす角が１８０°、つまり、つまみ片１１の表裏が反対になるまで引き起こす。その後、引き起こしたつまみ片１１を元の位置まで押し倒す。
【００３５】
そして、缶蓋１を下方にし、かつ水平面と缶胴６の長手方向とのなす角が２０°となるように、缶胴６を傾斜させる。なお、缶蓋１のスコア線７（主スコア線７ａ）が破断することにより缶蓋１に形成される開口部が、缶蓋１において下側になるように缶胴６が傾斜される。すると、コーンポタージュが缶蓋１の開口部から缶体外部に流出する。そして、コーンポタージュがほぼ缶体外部に流出し、その流出が途切れるまでの時間を計測する。そして、コーンポタージュの流出が途切れた時点で、缶体を缶蓋１が真上になるように静置する。その後、缶胴６のシールを除去し、缶体内部に残留したコーン粒の個数を計数する。
【００３６】
なお、コーン粒が缶蓋１の開口部に詰まることによってコーンポタージュが缶体外部に流出することができなくなった場合には、缶蓋１が真上を向くように一旦缶胴６を起立させ、詰まったコーン粒をコーンポタージュ内に落下させてから、再度缶胴６を傾斜させる。
【００３７】
さらに、この実験を、コーンポタージュが缶体外部に流出し始めてから流出が途切れるまでの時間，コーン粒が詰まることにより缶胴６を上下させた回数，缶体内部に残留したコーン粒の個数を記録し、つまみ片１１とパネル部２とのなす角が９０°までつまみ片１１が引き起こされた５本の缶体と、１８０°まで引き起こされた５本の缶体とについて、平均値と標準偏差とを算出する。そして、算出された結果をテスト１とする。
【００３８】
他方、テスト２用の缶蓋１とテスト３用の缶蓋１とが固着された缶胴６を各１０本、合計２０本用意し、テスト２用缶蓋１とテスト３用缶蓋１が固着されたもの各５本、合計１０本ずつに分け、上述の実験と同様の実験を行う。そして、算出された結果をテスト２，テスト３とする。また、従来例である図４に示す缶蓋３１が固着された缶胴を１０本用意し、上述の実験と同様の実験を行う。そして、算出された結果を従来例とする。
【００３９】
実験結果を表２と表３とに示す。なお、表２はつまみ片１１とパネル部２とのなす角が９０°までつまみ片１１が引き起こされた５本の缶体の平均値を示し、表３はつまみ片１１が１８０°まで引き起こされた５本の缶体の平均値を示している。また、かっこ内の数値はそれぞれの標準偏差を示している。
【００４０】
【表２】
0003764279.tif 000003
【表３】
0003764279.tif 000004
表２と表３とから明らかなように、本発明の一例である缶蓋１が用いられた缶体の方が従来例である缶蓋３１が用いられた缶体よりも、缶体内部に残留するコーン粒の個数を大幅に減少させることができるとともに、缶体を上下させる回数も大幅に減少させることができる。
【００４１】
なお、この実施例では、缶蓋１の材料としてアルミニウム合金が用いられたが、この発明はこれに限定されることはなく、スコア線７においてパネル部２を破断することができる材料であればよい。
【００４２】
また、この実施例では、粒状固形物２１にコーン粒が、飲料２０にコーンポタージュが用いられた実験例が示されたが、小豆の粒入りおしるこや果肉の粒入り果汁飲料等の他の粒状固形物入り飲料にも、同様の効果を奏すると考えられる。
【００４３】
【発明の効果】
以上説明したように、請求項１に記載した発明では、外周溝を構成しているパネル部の外周部分の少なくとも一部がテーパ状からなる傾斜部に形成されているとともに、パネル部の径方向における傾斜部とパネル部とのなす角が一定で、かつ、１５°以上４５°以下に形成されており、その傾斜部が形成されているパネル部の近傍で、そのパネル部と略同一平面上に開口片が存在することによって、外周溝と開口片との間に窪みが形成されることがない。その結果、スコア線が破断され、開口片が缶体内に吊り下げられることにより形成された開口部から飲料中の粒状固形物を飲料とともに缶体外に容易に流出させることができるとともに、粒状固形物が外周溝とスコア線との間に残留することを防ぐことができる。
特に、パネル部の径方向における傾斜部とパネル部とのなす角が１５°以上４５°以下であることによって、傾斜部の傾斜面がなだらかとなるので、缶体の性能を損なわずに、形成された開口部から粒状固形物を飲料とともに傾斜部に沿って容易に缶体外に流出させることができる。
【００４５】
また、請求項２に記載した発明では、外周溝とパネル部とのパネル部の厚さ方向における距離が０．８５ｍｍ以上１．４５ｍｍ以下であることによって、缶蓋の開口片と飲料の液面との距離が短くなる。その結果、缶体が開缶される際に、缶蓋の開口片が飲料の液面を叩くことによって飲料が缶体外に飛び散ることを防ぐことができる。
【００４６】
さらに、請求項３に記載した発明では、傾斜部とパネル部との間が円弧状に形成されており、その曲率半径が０．５ｍｍ以上１．０ｍｍ以下であることによって、缶蓋の成形の際に円弧状部分の板厚が薄くなることを防ぐことができるとともに、缶蓋の耐圧力を維持することができる。
【００４７】
また、缶蓋を缶胴に巻き締めた後における缶蓋のフランジ部と外周溝とのパネル部の厚さ方向における距離が５．１０ｍｍ以上６．０５ｍｍ以下であることによって、巻き締められたフランジ部の位置を外周溝側により近づけることができる。その結果、缶胴と缶蓋との間に形成される隙間をより狭くさせることができ、そこに粒状固形物が入り込むことを防ぐことができる。
【図面の簡単な説明】
【図１】  この発明のイージーオープン缶の一例を示す平面図である。
【図２】  図１のＩＩ−ＩＩ線に沿う断面図である。
【図３】  開けられたこの発明のイージーオープン缶を傾け、飲料を流出させている状態を示す断面図である。
【図４】  従来のイージーオープン缶の一例を示す平面図である。
【図５】  図４のＶ−Ｖ線に沿う断面図である。
【図６】  開けられた従来のイージーオープン缶を傾け、飲料を流出させている状態を示す断面図である。
【符号の説明】
１…缶蓋、  ２…パネル部、  ３…傾斜部、  ４…外周溝、  ６…缶胴、  ７…スコア線、  ７ａ…主スコア線、  ７ｂ…補助スコア線、  ８…開口片、  １１…つまみ片、  ２０…飲料、  ２１…粒状固形物。
【図１】
0003764279.tif 000005
【図２】
0003764279.tif 000006
【図３】
0003764279.tif 000007
【図４】
0003764279.tif 000008
【図５】
0003764279.tif 000009
【図６】
0003764279.tif 000010